(57)【要約】      （修正有）【課題】雑菌が殆ど存在しない浄水を常時吐出させることのできる浄水器用の切替バルブを簡単な構造によって提供する。【解決手段】バルブ本体１１の略中央部に、浄水器へ原水を送り込む送出口１１ｂと、浄水器からの浄水が流入してくる浄水口１１ｃと、原水口１１ａとが開口する切替室Ｒ１を形成し、この切替室Ｒ１内に、原水口１１ａは閉塞しないで送出口１１ｂと原水口１１ｃとの間で移動されるとともに、第１弁座１４ａに当接する切替弁体１２を配置し、この切り替え弁体１２を切替ハンドル１２ｂによって進退される弁軸１２ａの内端に取り付けるとともに、この弁軸１２ａを、切替室Ｒ１内に固定的に挿入されて、第２弁座１４ｂと原水口１１ａに連通する連通室Ｒ３とを形成した支持筒１３の中心に軸支し、バルブ本体１１の下部に切替室Ｒ１に通水口１１ｂを介して連通する分配室Ｒ２を形成する。【選択図】図３
2004346958.tif 000002
【特許請求の範囲】
【請求項１】
水道の蛇口に取り付けられて、供給されてきた原水を吐水口に直接または機外の浄水器に送るとともに、前記浄水器から環流してくる浄水または直接供給された原水を前記吐水口から吐出させるようにした切替バルブであって、
この切替バルブを構成しているバルブ本体の略中央部に、前記浄水器へ原水を送り込む送出口と、前記浄水器からの浄水が流入してくる浄水口と、これらの浄水口及び送出口の間に位置する原水口とが開口する切替室を形成し、この切替室内に、外部の切替ハンドルによって、前記原水口は閉塞しないで前記送出口と原水口との間で移動されるとともに、当該切替室内の前記原水口と浄水口との間に形成した第１弁座に当接する切替弁体を配置し、
この切替弁体を、前記切替ハンドルによって進退される弁軸の内端に取り付けるとともに、この弁軸を、前記切替室内に固定的に挿入されて、前記原水口と送出口との間に位置する第２弁座と前記原水口に連通する連通室とを形成した支持筒の中心に軸支し、
さらに、前記バルブ本体の下部に、前記切替室に通水口を介して連通する分配室を形成したことを特徴とする浄水器用の切替バルブ。
【請求項２】
前記バルブ本体の下部に形成した前記分配室内に、内部が貫通穴となって下端が前記吐水口となる吐水筒を上下動可能に組み付けるとともに、この吐水筒を中心に通す第３弁座を配置し、前記吐水筒の上端に、前記分配室の天井または前記第３弁座に当接する環状弁体を設けて、
この環状弁体の位置によって、前記浄水または原水を、吐水またはシャワー水として吐出させないようにしたことを特徴とする請求項１に記載の浄水器用の切替バルブ。
【発明の詳細な説明】
本発明は、水道の蛇口に取り付けられて、水道水（原水）を機外の浄水器に送り込むか、あるいはそのまま吐水するかの切替えを行うようにした切替バルブに関するものである。
【０００１】
【発明の属する技術分野】
【０００２】
【従来の技術】
近年、家庭用の浄水器がよく使用されるようになってきており、この浄水器によって水道水（原水）のさらなる浄化を行ったり、水をおいしくするミネラル分の追加を行ったりして、「おいしい水」を家庭でも簡単に生成できるようになってきている。
【０００３】
このような浄水器は、一般的には図１に示すような接続がなされる。つまり、水道の蛇口に「切替バルブ」を取り付け、この切替バルブに浄水器への往管と復管とを取り付けて、この切替バルブを通して水道水を浄水器に送り込んで浄水とし、この浄水を再び切替バルブ側に戻して、この切替バルブから吐出させるようにしているのである。
【０００４】
このような切替バルブとしては、例えば特許文献１に示されているような「切替弁」がある。
【０００５】
【特許文献１】特開平１１−４４３７０号公報、請求項５、図１
【０００６】
【発明が解決しようとする課題】
この特許文献１に記載された「切替弁」では、図９及び当該文献の請求項５の記載からすると、
「請求項４記載の切換弁において、回動弁が浄水ストレート吐出モードに保持された状態では、前記原水導入口と第１弁孔が連通し、第２弁孔が閉鎖され、原水通路より第２弁室と第１吐出口とが連通し、球状弁体が第２吐出口を閉鎖した状態に保持され、回動弁が所定角度回動されて、浄水シャワー吐出モードに切り換えられると、第２弁孔が原水導入口と連通され、第１弁孔が閉鎖され、第１吐出口は第１弁部によって閉鎖され、弁作動体により球状弁体が浮上されて第２吐出口が開放された状態に保持され、さらに回動弁が所定角度回動されて、原水シャワー吐出モードに切り換えられると、第１、２の弁孔が共に閉鎖され、第１吐出口は第１弁部によって閉鎖され、弁作動体により球状弁体が浮上位置に保持され、原水通路により原水導入口と第２弁室が連通され、第２弁部により第２開口が閉鎖された状態に保持され、さらに、回動弁が所定角度回動されて、逆洗ストレートモードに切り換えられると、弁作動体が球状弁体から離れて球状弁体により、第２吐出口が閉鎖され、第１弁孔が第１吐出口に連通され、第２弁孔が閉鎖位置に保持され、原水通路が原水導入口と連通され、第２弁部による第２開口の閉鎖が解かれるように構成されている」
ものであり、流体を少なくとも四種類以上の吐出モードに切り換えることができるとともに、構造を簡素化して部品点数を低減し、製造及び組み付け作業を容易に行い、コストダウンを図ることができ、さらに、切り換え操作をワンタッチで容易に行うことができる効果に加えて、回動弁機構が回動弁と球状弁体とにより構成されているので、その機構を簡素化することができる効果があると考えられる。
【０００７】
しかしながら、この特許文献１の「切換弁」では、その「浄水ストレート吐出モード」及び「浄水シャワー吐出モード」において、原水導入口２１ｂが、第１弁孔２５ｅまたは第２弁孔２５ｆに連通するのであるが、これらの第１弁孔２５ｅ及び第２弁孔２５ｆは、「原水シャワー吐出モード」においては共に閉鎖されるものになっている。このため、第１弁室Ｒ１または第２弁室Ｒ２中に原水または浄水が溜まったままのときが存在し得る。
【０００８】
この種の浄水器用切替バルブは、毎日一定量使用している場合には何等問題はないのであるが、旅行等で何日か使用しないでいると、空気中の雑菌が内部で繁殖することがある。この雑菌の繁殖は、切替バルブ内に溜まり水があるとより発生し易いものであり、次に切替バルブを使用した場合に、「いやな臭い」が生ずることもある。
【０００９】
また、毎日使用する場合であっても、四六時中浄水を使用している訳ではないから、特許文献１に記載されている「切替弁」のように、原水通路とは別になっていて、余り使用しない浄水の水路があると、その方に空気の雑菌が付着したままとなって、雑菌の繁殖条件を少しずつ満たしてしまうこともある。
【００１０】
そこで、本発明者等は、この種浄水器用の切替バルブについて、雑菌の繁殖を抑えるためにはどうしたらよいか、について種々検討を重ねてきた結果、原水（水道水）中には元々消毒のための塩素が混入してあり、原水そのものが消毒液の役割を果たすことができることに気付いたのである。
【００１１】
すなわち、本発明の目的とするところは、浄水が通る部分と原水が通る部分とをなるべく長く共通化することによって、原水を通したときにはこの共通している通路の殺菌を行って、雑菌が殆ど存在しない浄水を常時吐出させることのできる浄水器用の切替バルブを簡単な構造によって提供することにある。
【００１２】
【課題を解決するための手段】
以上の課題を解決するために、まず、請求項１に係る発明の採った手段は、後述する実施状態の説明中において使用する符号を付して説明すると、
「水道の蛇口３０に取り付けられて、供給されてきた原水を吐水口１７に直接または機外の浄水器２０に送るとともに、浄水器２０から環流してくる浄水または直接供給された原水を前記吐水口１７から吐出させるようにした切替バルブ１０であって、
この切替バルブ１０を構成しているバルブ本体１１の略中央部に、浄水器２０へ原水を送り込む送出口１１ｂと、浄水器２０からの浄水が流入してくる浄水口１１ｃと、これらの浄水口１１ｃ及び送出口１１ｂの間に位置する原水口１１ａとが開口する切替室Ｒ１を形成し、この切替室Ｒ１内に、外部の切替ハンドル１２ｂによって、原水口１１ａは閉塞しないで送出口１１ｂと原水口１１ｃとの間で移動されるとともに、当該切替室Ｒ１内の原水口１１ａと浄水口１１ｃとの間に形成した第１弁座１４ａに当接する切替弁体１２を配置し、
この切替弁体１２を、切替ハンドル１２ｂによって進退される弁軸１２ａの内端に取り付けるとともに、この弁軸１２ａを、切替室Ｒ１内に固定的に挿入されて、原水口１１ａと送出口１２ｂとの間に位置する第２弁座１４ｂと原水口１１ａに連通する連通室Ｒ３とを形成した支持筒１３の中心に軸支し、
さらに、バルブ本体１１の下部に、切替室Ｒ１に通水口１１ｂを介して連通する分配室Ｒ２を形成したことを特徴とする浄水器用の切替バルブ１０」
である。
【００１３】
すなわち、この請求項１に係る切替バルブ１０は、浄水を使用しないで原水を使用するときは、内部通路の大部分をこの原水に触れさせるようにしたものであり、これにより、原水中の塩素を利用して、内部通路の大部分を原水使用時には必ず消毒している状態にし得るようにしたものである。
【００１４】
そのために、この切替バルブ１０では、図３に示すように、その原水口１１ａの略中央部分に切替室Ｒ１を形成して、この切替室Ｒ１内に対して、蛇口３０から流入してくる原水のための原水口１１ａと、この原水口１１ａの、図３の図示下方右側に形成されて、浄水器２０の往管２１に接続されるべき送出口１１ｂと、原水口１１ａの、図３の図示下方左側に形成されて、浄水器２０の復管２２に接続されるべき浄水口１１ｃとを開口させるとともに、この切替室Ｒ１の底部に、当該切替室Ｒ１を下方の分配室Ｒ２に連通させるための通水口１１ｄを開口させてある。
【００１５】
そして、この切替室Ｒ１内には、上記原水口１１ａを閉塞しないようにしながら、送出口１１ｂと浄水口１１ｃとの間を移動する切替弁体１２が配置してあり、この切替弁体１２は、図３中の図示右方に突出させてある切替ハンドル１２ｂの回動によって切替室Ｒ１内に対して進退される。勿論、この切替弁体１２は、支持筒１３を介して切替室Ｒ１内に液密的に支持したものであり、この支持筒１３内には切替弁体１２が離れたときに切替室Ｒ１内と連通する連通室Ｒ３が形成してある。また、この支持筒１３の切替室Ｒ１内の内端は、切替弁体１２が当接して連通室Ｒ３内を密閉する第２弁座１４ｂが形成してあり、この第２弁座１４ｂとは反対側になる切替室Ｒ１内であって、原水口１１ａと浄水口１１ｃとの間になる部分に、切替弁体１２によって開閉される第１弁座１４ａが形成してある。
【００１６】
以上のように構成した請求項１の切替バルブ１０では、浄水吐水と原水吐水とは次のようにして切替えられるが、それぞれ場合を分けて説明する。
（原水吐水）
まず、当該切替バルブ１０のが側方に突出させてある切替ハンドル１２ｂを回動して、内部の切替弁体１２が図３に示した位置となるようにする。そして、蛇口３０のハンドル３１を回して水道水を切替バルブ１０内に導入するようにする。
【００１７】
切替弁体１２は、図３に示すように、支持筒１３内端の第２弁座１４ｂに当接しているから、連通室Ｒ３は閉止状態にあり、原水は、連通室Ｒ３内、つまり、浄水器２０側には流れない。これに対して、切替弁体１２は第１弁座１４ａから離れているのであるから、原水は、原水口１１ａから切替室Ｒ１内に流入し、この切替室Ｒ１の底部に形成してあった通水口１１ｄから下方の分配室Ｒ２内に流入するのである。
【００１８】
このとき、浄水器２０の復管２２に接続されている浄水口１１ｃは、切替室Ｒ１内に開口したままの状態になっているから、切替室Ｒ１内に流入した原水はこの浄水口１１ｃを通して浄水器２０内に入ろうとする。ところが、一般的に、浄水器２０内には、浄水口１１ｃつまり復管２２からの浄水（原水）の逆流を防止するための弁（逆流防止弁）が設置してあり、かつ分配室Ｒ２は、吐水口１７またはシャワー口１７ａを介して外部に連通した状態にあるから、原水に圧力があっても、この原水は吐水口１７またはシャワー口１７ａから外部に吐出するだけで浄水口１１ｃに逆流していくことはない。
【００１９】
この原水吐水の場合、原水は、原水口１１ａから切替室Ｒ１内に入り、切替室Ｒ１の図３に示した図示左方部分内を流れ、通水口１１ｄを介して分配室Ｒ２内全体に流れる。勿論、連通室Ｒ３内は切替弁体１２によって閉止されているから、この連通室Ｒ３内及びこれに連通孔１３ａ及び環状連通孔１３ｂを介して連通している送出口１１ｂ内に、雑菌を含んでいる空気が入り込むことはない。
【００２０】
つまり、原水口１１ａを通して第３弁座１４ｃから流れ込んできた原水は、切替弁体１２の表面の大部分、切替室Ｒ１内の左約半分、及び分配室Ｒ２内を、いわば洗滌しながら流れていくのである。
【００２１】
（浄水吐水）
当該切替バルブ１０を通して浄水を吐水口１７またはシャワー口１７ａから吐出させたい場合は、切替ハンドル１２ｂを操作して、切替弁体１２が第１弁座１４ａを閉止するようにするのであり、そのときの状態は、図５に示してある。
【００２２】
以上のようにすると、原水口１１ａを介して流入してきた原水は、図５に示すように、切替弁体１２の図示右側部分を通って連通室Ｒ３内に入り、この連通室Ｒ３に閉口させてある連通孔１３ａ及び環状連通孔１３ｂを通して送出口１１ｂ内に流れ込む。この送出口１１ｂには、往管接続部１９ａに接続した往管２１を介して浄水器２０が接続してあったから、原水は浄水器２０内に流れ込むことになる。
【００２３】
この浄水器２０内にて浄水化された原水は、今度は復管２２を介して浄水口１１ｃ側に流れ込み、第１弁座１４ａを閉止した切替弁体１２によって原水口１１ａ側に逆流することなく、通水口１１ｄを通して下方の分配室Ｒ２内に流れ込むことになる。この分配室Ｒ２は、前述したように、吐水口１７またはシャワー口１７ａを介して外部に開放されているから、浄水は、これらの吐水口１７またはシャワー口１７ａから吐水されることになるのである。
【００２４】
以上の浄水の流れは、連通室Ｒ３から往管２１を介して浄水器２０内へ、また浄水器２０内から復管２２を介しての浄水口１１ｃからの流入以外は、前述した原水の流れた部分と殆ど同じである。つまり、浄化すべき原水と、浄水器２０によって浄化された浄水の通水口１１ｄまでの部分は、空気に触れない全く密閉されたものであったし、切替バルブ１０内を流れる浄水の通路は、前述した原水によって「消毒」された通路と殆ど同じであるため、雑菌の繁殖し得る余地は全くないのである。
【００２５】
従って、この請求項１の切替バルブ１０は、浄水器２０によって作られた浄水の流れる部分が、塩素を含む原水によって常に洗滌された状態とし得るものであり、長期間浄水器２０を使用しないでいても、次にこの浄水器２０を使用して生成した浄水は文字通り浄化された状態のものとすることができ、久しぶりに出した浄水から雑菌を原因とする臭いを発生させることはないものである。
【００２６】
上記課題を解決するために、請求項２に係る発明の採った手段は、上記請求項１の切替バルブ１０について
「バルブ本体１１の下部に形成した分配室Ｒ２内に、内部が貫通穴１６ａとなって下端が吐水口１７となる吐水筒１６を上下動可能に組み付けるとともに、この吐水筒１６を中心に通す第３弁座１４ｃを配置し、吐水筒１６の上端に、分配室Ｒ３の天井または第３弁座１４ｃに当接する環状弁体１５を設けて、
この環状弁体１５の位置によって、浄水または原水を、吐水またはシャワー水として吐出させないようにしたこと」
である。
【００２７】
すなわち、この請求項２の切替バルブ１０は、上記請求項１のそれについての作用及び機能をそのまま踏襲しながら、吐水口１７またはシャワー口１７ａからの原水または浄水の吐出を行えるようにしたものである。
【００２８】
この請求項２の切替バルブ１０では、図３に示すように、バルブ本体１１の下部に形成した分配室Ｒ２内に、切替レバー１６ｂの回動によって上下動される吐水筒１６を収納しておいて、この吐水筒１６の上端に環状弁体１５を取付けるようにしたものであり、この環状弁体１５が分配室Ｒ２の天井に当接するように吐水筒１６が上動されたとき（図３に示した状態のとき）、当該吐水筒１６の貫通穴１６ａを閉塞するようにしてある。
【００２９】
また、この切替バルブ１０では、分配室Ｒ２内の中央に第３弁座１４ｃを設けておき、切替レバー１６ｂの回動によって吐水筒１６が下動されると、その上端に設けてあった環状弁体１５がこの第３弁座１４ｃを閉止するようにしてある。そして、図８に示した切替バルブ１０では、上記分配室Ｒ２を形成するための下方ナット１８に、シャワー口１７ａが形成してあり、また吐水筒１６の下端が吐水口１７として開口するようにしてある。
【００３０】
この請求項２の切替バルブ１０は、上方の切替室Ｒ１から通水口１１ｄを通して送られてきた原水または浄水を、吐水口１７またはシャワー口１７ａから吐水するようにしたものであり、以下シャワー吐水と通常吐水に分けて説明する。
（シャワー吐水）
このシャワー吐水は、吐水筒１６及び環状弁体１５を図３に示した状態にして行われるものであり、通水口１１ｄから分配室Ｒ２内に流入してきた浄水または原水は、第３弁座１４ｃと吐水筒１６との間の隙間を通して直接各シャワー口１７ａに向けて流れ、このシャワー口１７ａからシャワーとして吐水されるのである。
【００３１】
このとき、図３に示したように、吐水筒１６の上端に設けた環状弁体１５は、分配室Ｒ２の天井に当接していて、この吐水筒１６内の貫通穴１６ａを閉止しているから、通水口１１ｄから分配室Ｒ２内に流入した浄水または原水は、当該吐水筒１６の貫通穴１６ａ内には入らず、従って吐水口１７からの吐水はなされない。
（通常吐水）
この通常吐水は、切替レバー１６ｂを回動することにより、吐水筒１６を図３に示した位置から、図４に示す位置にまで下動させることによりなされる。つまり、吐水筒１６を下動させることにより、その上端に設けられた環状弁体１５を、分配室Ｒ２の天井から引き離すとともに、第３弁座１４ｃ上に当接させて第３弁座１４ｃと吐水筒１６との間に隙間を閉止するのである。
【００３２】
これにより、分配室Ｒ２内は、上端が開放された吐水筒１６の貫通穴１６ａ内に連通することになり、通水口１１ｄを通して上方から分配室Ｒ２内に流入してきた原水または浄水は、吐水筒１６の貫通穴１６ａを通ってその下端の吐水口１７から通常吐水されるのである。
【００３３】
なお、図３及び図４に示した例では、この吐水筒１６の上下動を切替レバー１６ｂによって行うようにしていたが、図８に示すように、この吐水筒１６を下方ナット１８に設けておき、この下方ナット１８をネジ込みまたはネジ戻しによって切替レバー１６ｂの上下動を行うようにしてもよいものである。
【００３４】
従って、この請求項２の切替バルブ１０は、上記請求項１のそれと同様な機能を発揮することは勿論、シャワー吐水と通常吐水とを簡単な構造によって行えるものとなっているのである。
【００３５】
【発明の実施の形態】
次に、上記のように構成した各請求項の発明を、図面に示した実施の形態である切替バルブ１０について説明するが、この実施形態の切替バルブ１０は上記各請求項に係る発明の全てを含むものである。
【００３６】
さて、図１には、本発明に係る切替バルブ１０を使用している状態が示してあり、この切替バルブ１０は、蛇口３０に取付けられて、そのバルブ本体１１に形成してある往管接続部１９ａ及び復管接続部１９ｂに、図６及び図７に示したように、浄水器２０の往管２１及び復管２２をそれぞれ接続して使用されるものである。つまり、この切替バルブ１０は、水道水（原水）を直接吐水するか、原水を浄水器２０側に送り込んでこの浄水器２０で生成された浄水を吐水するかを切替えるもので、それ自体は止水機能を持たず、この止水機能については蛇口３０のハンドル３１による操作にまかせているものである。
【００３７】
この切替バルブ１０は、図２に示したように、そのバルブ本体１１の上方に上方ナット１１ｅを有するものであり、この上方ナット１１ｅによって当該切替バルブ１０を蛇口３０に取付けるようにしているものである。また、このバルブ本体１１の図示右方部分には、内部の切替弁体１２による切替操作を外部から行えるようにするための切替ハンドル１２ｂが突出させてあり、この切替ハンドル１２ｂによって切替操作された後の原水または浄水は、バルブ本体１１の下端に設けた下方ナット１８の下面から吐水されるものである。さらに、この切替バルブ１０を構成しているバルブ本体１１の背面には、図２、図６及び図７にも示したように、浄水器２０側の往管２１あるいは復管２２がそれぞれ接続されることになる往管接続部１９ａ及び復管接続部１９ｂが、前述したように形成してある。
【００３８】
なお、バルブ本体１１内の分配室Ｒ２に配置してある後述する吐水筒１６は、この分配室Ｒ２内にて上下動されるものであるが、その上下動操作は、吐水筒１６に直結した切替レバー１６ｂにより行う場合（図３〜図７に示した場合）と、この吐水筒１６を下方ナット１８に直接取付けて、この下方ナット１８の螺進螺退によって行う場合（図８に示した場合）との二種類がある。
【００３９】
この切替バルブ１０を構成するバルブ本体１１内には、図３に示したように、原水口１１ａ、送出口１１ｂ、浄水口１１ｃ及び通水口１１ｄの４つの穴を開口させた切替室Ｒ１が形成してある。原水口１１ａは、蛇口３０からの原水を切替室Ｒ１内に導入するものであり、通水口１１ｄは、切替室Ｒ１内の原水または浄水を、バルブ本体１１の下部に形成してある分配室Ｒ２内に導出するものである。切替室Ｒ１内の送出口１１ｂは、この切替室Ｒ１内に挿入してある支持筒１３内の連通室Ｒ３からの原水を、支持筒１３の連通孔１３ａ及び環状連通孔１３ｂを介して往管接続部１９ａ側に送り出すものであり、浄水口１１ｃは、復管接続部１９ｂを通して送り込まれてきた浄水を切替室Ｒ１内に導入するものである。
【００４０】
これらの浄水口１１ｃ等を開口させた切替室Ｒ１内には、図３及び図５に示したように、切替弁体１２が配置してあるが、この切替弁体１２は、上記送出口１１ｂと浄水口１１ｃとの間で移動するものであり、常に原水口１１ａを閉塞しない位置にある。また、この切替弁体１２は、切替室Ｒ１内に形成してある第１弁座１４ａに当接したとき、切替室Ｒ１内を、送出口１１ｂ側と浄水口１１ｃ側との２つの部屋に区画することになるものである。勿論、この切替弁体１２は弁軸１２ａを有しているものであり、この弁軸１２ａは、切替室Ｒ１の、図３の図示右方部分に液密的に嵌挿固定した支持筒１３に対して、外端の前述した切替ハンドル１２ｂによって進退されるものである。
【００４１】
切替弁体１２の弁軸１２ａを略中心にして支持している支持筒１３は、図３にも示したように、その切替弁体１２側の端部を第２弁座１４ｂとしたものであり、弁軸１２ａとの間に連通室Ｒ３を形成するものでもある。そして、この連通室Ｒ３は、支持筒１３に形成してある連通孔１３ａ及び環状連通孔１３ｂによって、前述した送出口１１ｂに連通するようになっている。
【００４２】
バルブ本体１１の下部に形成してある分配室Ｒ２は、上述した通水口１１ｄによって切替室Ｒ１側と常に連通しているものであり、この分配室Ｒ２は、バルブ本体１１の下端に取付けられる下方ナット１８によって閉じられる。この下方ナット１８に対しては、図３に示した実施形態では、中心が貫通穴１６ａとなっている吐水筒１６が上下方向に移動可能に組付けてある。この吐水筒１６の、上下動操作は、当該吐水筒１６の下端に取付けた切替レバー１６ｂによりなされるものである。一方、図８に示した実施例では、吐水筒１６を下方ナット１８に対してナット止め１８ａにより固定的に止めるようにしてあり、吐水筒１６の上下動は、下方ナット１８自体をバルブ本体１１に対して螺進螺退させることにより行うものである。
【００４３】
以上のようにした吐水筒１６の上端には、図３及び図４に示したように、上死点に上昇したとき分配室Ｒ２の天井に当接し、下死点に降下したときには、分配室Ｒ２内に設けた第３弁座１４ｃに当該することになる環状弁体１５が取付けてある。つまり、この環状弁体１５は、吐水筒１６と共に上下動するものであり、通水口１１ｄを通して分配室Ｒ２内に導入されてきた浄水または原水をシャワー吐水、または通常吐水させるように切替を行うものである。
【００４４】
このため、図３及び図４に示した実施形態にあっては、下方ナット１８の周囲に、図７にも示したように、複数のシャワー口１７ａを形成するようにしてあり、これらのシャワー口１７ａの中心には吐水口１７、すなわち吐水筒１６の貫通穴１６ａが開口するようにしてある。一方、図８に示した実施形態では、各シャワー口１７ａを同様に形成して、下方ナット１８から下方に突出させた吐水筒１６の下端部をナット止め１８ａによって下方ナット１８に固定して、吐水筒１６の貫通穴１６ａの下端を吐水口１７として開口させたものである。
【００４５】
【発明の効果】
以上、詳述した通り、本発明においては、上記実施形態にて例示した如く、
すなわち、本発明の目的とするところは、にある。
【００４６】
【課題を解決するための手段】
以上の課題を解決するために、まず、請求項１に係る発明の採った手段は、後述する実施状態の説明中において使用する符号を付して説明すると、
「水道の蛇口３０に取り付けられて、供給されてきた原水を吐水口１７に直接または機外の浄水器２０に送るとともに、浄水器２０から環流してくる浄水または直接供給された原水を前記吐水口１７から吐出させるようにした切替バルブ１０であって、
この切替バルブ１０を構成しているバルブ本体１１の略中央部に、浄水器２０へ原水を送り込む送出口１１ｂと、浄水器２０からの浄水が流入してくる浄水口１１ｃと、これらの浄水口１１ｃ及び送出口１１ｂの間に位置する原水口１１ａとが開口する切替室Ｒ１を形成し、この切替室Ｒ１内に、外部の切替ハンドル１２ｂによって、原水口１１ａは閉塞しないで送出口１１ｂと原水口１１ｃとの間で移動されるとともに、当該切替室Ｒ１内の原水口１１ａと浄水口１１ｃとの間に形成した第１弁座１４ａに当接する切替弁体１２を配置し、
この切替弁体１２を、切替ハンドル１２ｂによって進退される弁軸１２ａの内端に取り付けるとともに、この弁軸１２ａを、切替室Ｒ１内に固定的に挿入されて、原水口１１ａと送出口１２ｂとの間に位置する第２弁座１４ｂと原水口１１ａに連通する連通室Ｒ３とを形成した支持筒１３の中心に軸支し、
さらに、バルブ本体１１の下部に、切替室Ｒ１に通水口１１ｂを介して連通する分配室Ｒ２を形成したこと」
にその構成上の主たる特徴があり、これにより、浄水が通る部分と原水が通る部分とをなるべく長く共通化することによって、原水を通したときにはこの共通している通路の殺菌を行って、雑菌が殆ど存在しない浄水を常時吐出させることのできる浄水器用の切替バルブ１０を簡単な構造によって提供することができるのである。
【図面の簡単な説明】
【図１】本発明に係る切替バルブ１０を介して浄水器２０と蛇口３０とを接続した状態を示す斜視図である。
【図２】同切替バルブの拡大斜視図である。
【図３】図２中の１−１線に沿ってみた縦断面図である。
【図４】図２中の２−２線に沿ってみた縦断面図である。
【図５】図２中の３−３線に沿ってみた横断面図である。
【図６】同切替バルブの平面図である。
【図７】同底面図である。
【図８】同切替バルブの他の実施例を示す縦断面図である。
【図９】従来の技術を示す切替バルブの縦断面図である。
【符号の説明】
１０      切替バルブ
１１      バルブ本体
１１ａ    原水口
１１ｂ    送出口
１１ｃ    浄水口
１１ｄ    通水口
１１ｅ    上方ナット
１２    切替弁体
１２ａ    弁軸
１２ｂ    切替ハンドル
１３    支持筒
１３ａ    連通孔
１３ｂ    環状連通孔
１４ａ    第１弁座
１４ｂ    第２弁座
１４ｃ    第３弁座
１５    環状弁体
１６    吐水筒
１６ａ    貫通穴
１６ｂ    切替レバー
１７    吐水口
１７ａ    シャワー口
１８    下方ナット
１８ａ    ナット止め
１９ａ    往管接続部
１９ｂ    復管接続部
２０    浄水器
２１    往管
２２    復管
３０    蛇口
３１    ハンドル
【図１】
2004346958.tif 000003
【図２】
2004346958.tif 000004
【図３】
2004346958.tif 000005
【図４】
2004346958.tif 000006
【図５】
2004346958.tif 000007
【図６】
2004346958.tif 000008
【図７】
2004346958.tif 000009
【図８】
2004346958.tif 000010
【図９】
2004346958.tif 000011